(57)【要約】【課題】表示用粒子の分布が偏よる恐れがなく、隔壁に起因するコントラストの低下の恐れのない表示装置、及びその表示装置における表示の書換方法を提供する。【解決手段】対向する基板４、６と対向する基板４、６の間に設けられた隔壁８ａによって囲まれた区画４０に表示用粒子２０、２２が充填された表示装置２であって、表示書換のため対向する基板４、６間に電圧を印加して表示用粒子２０、２２を基板と略垂直な方向に移動させるとき、隔壁８ａの少なくとも一部が基板４、６と略垂直な方向に収縮し、または収縮した状態になっており、表示用粒子２０、２２の移動が終了すると同時に、または移動終了以降に、隔壁８ａの収縮していた部分が復元する表示装置２及びその表示装置２における表示の書換方法を提供する。【選択図】図２
2009223094.tif 000002
【特許請求の範囲】
【請求項１】
表示面側の透明基板と、前記透明基板と対向する対向基板と、少なくとも前記対向基板の前記透明基板との対向面側に設置された隔壁によって囲まれた区画に表示用粒子が充填された表示装置であって、
表示書換のため前記対向する基板間に電圧を印加して前記表示用粒子を前記基板と略垂直な方向に移動させるとき、前記隔壁の少なくとも一部が前記基板と略垂直な方向に収縮し、または収縮した状態になっており、前記表示用粒子の移動が終了すると同時に、または移動終了以降に、前記隔壁の収縮していた部分が復元することを特徴とする表示装置。
【請求項２】
前記隔壁の少なくとも一部の収縮により、前記隔壁の表示面側の端部と前記透明基板に設けられた前記対向基板側の面との間に前記表示用粒子の平均粒子径以上の隙間が生じることを特徴とする請求項１に記載の表示装置。
【請求項３】
前記隔壁の収縮していた部分が復元するとき、前記隔壁の表示面側の端部と前記透明基板に設けられた前記対向基板側の面との間に前記表示用粒子が挟み込まれることを特徴とする請求項２に記載の表示装置。
【請求項４】
前記隔壁の少なくとも一部が刺激応答性材料からなることを特徴とする請求項１から３の何れか１項に記載の表示装置。
【請求項５】
前記刺激応答性材料が、電圧を印加することによって収縮し、電圧の印加を停止すると復元する性質を有することを特徴とする請求項４に記載の表示装置。
【請求項６】
前記対向する基板間に印加する電圧を用いて、前記隔壁の少なくとも一部を収縮させることを特徴とする請求項５に記載の表示装置。
【請求項７】
前記隔壁の少なくとも一部と前記対向する基板間に電圧を印加するための表示用電極とが電気的に繋がっていることを特徴とする請求項５または６に記載の表示装置。
【請求項８】
前記隔壁に、前記隔壁の少なくとも一部に電圧を印加するための電極が設けられていることを特徴とする請求項５に記載の表示装置。
【請求項９】
表示書換時に少なくとも一部が収縮する前記隔壁と、表示書換時に収縮しない隔壁とを備えることを特徴とする請求項１から８の何れか１項に記載の表示装置。
【請求項１０】
前記隔壁の表示面側の端部が、表示面側に向かって細くなるテーパ形状を有することを特徴とする請求項１から９の何れか１項に記載の表示装置。
【請求項１１】
表示面側の透明基板と、
前記透明基板と対向する対向基板と、
前記透明基板と前記対向基板との間隔を保持するスペーサと、
前記対向基板の前記透明基板との対向面側に設置され、前記透明基板と前記対向基板との間の領域を区画する隔壁であって、前記表示面と略垂直方向に収縮し前記透明基板との間に隙間を形成可能な隔壁と、
前記区画に配置され、所定の極性に帯電し、加えられた電界により前記表示面と略垂直な方向に移動することにより表示を書き換える表示用粒子とを備え、
前記表示用粒子の移動時に前記隔壁が収縮、または収縮した状態になっており、前記表示用粒子の移動終了と同時、または移動終了以降に、収縮していた前記隔壁が復元することを特徴とする表示パネル。
【請求項１２】
対向する基板と前記対向する基板の間に設けられた隔壁によって囲まれた区画に表示用粒子が充填された表示装置において、
前記対向する基板間に電圧を印加して前記表示用粒子を前記基板と略垂直な方向に移動させると共に、前記隔壁の少なくとも一部を前記基板と略垂直な方向に収縮させる工程１と、
前記工程１の後、前記表示用粒子の移動が終了すると同時に、または移動終了以降に、前記隔壁の収縮していた部分を復元させて、収縮していた前記隔壁の表示面側の端部と前記表示面側の基板に設けられた背面側の面との間に前記表示用粒子を挟み込む工程２と、
を含むことを特徴とする表示の書換方法。
【請求項１３】
対向する基板と前記対向する基板の間に設けられた隔壁によって囲まれた区画に表示用粒子が充填された表示装置において、
前記隔壁の少なくとも一部を前記基板と略垂直な方向に収縮させる工程１と、
前記工程１の後、前記対向する基板間に電圧を印加して前記表示用粒子を前記基板と略垂直な方向に移動させる工程２と、
前記工程２の後、前記表示用粒子の移動が終了すると同時に、または移動終了以降に、前記隔壁の収縮していた部分を復元させて、収縮していた前記隔壁の表示面側の端部と前記表示面側の基板に設けられた背面側の面との間に前記表示用粒子を挟み込む工程３と、
を含むことを特徴とする表示の書換方法。
【発明の詳細な説明】
【技術分野】
【０００１】
本発明は、対向する基板と対向する基板の間に設けられた隔壁によって囲まれた区画に表示用粒子が充填された表示装置、及びこの表示装置における表示の書換方法に関する。
【背景技術】
【０００２】
対向する基板の間に、所定の極に帯電した表示用粒子が充填され、この対向する基板間に電圧を印加して、帯電した表示用粒子を基板と略垂直な方向に移動させることによって、表示の書き換えを行なう表示装置が知られている。
【０００３】
このような表示装置において、例えば、表示面が縦向きになるように表示装置を立てかけた場合や、表示用粒子の凝集等によって、表示用粒子の分布が偏って、適正な表示が困難になる問題が生じる。これに対処するため、対向する基板の間に隔壁を設けて、表示領域を隔壁で囲まれた小さな区画に分割した表示装置が提案されている（例えば、特許文献１参照）。
【特許文献１】特開昭５９−１７１９３０号
【発明の開示】
【発明が解決しようとする課題】
【０００４】
特許文献１に記載された表示装置においては、隔壁で表示領域を区分することにより、表示装置を立てかけた場合や表示用粒子の凝集等により生じる表示用粒子の偏在化を防ぐことができる。しかし、この表示装置では、表示面側から表示領域を見たとき、隔壁の上面も表示領域の一部として視認可能なので、隔壁の上面の色と表示色とが異なる場合がある。
【０００５】
例えば、隔壁の上面が黒色の場合には、白色を表示した時に隔壁の黒色も同時に見えるので、隔壁を備えない場合よりもコントラストが低下し、また、隔壁の上面が白色の場合には、黒色を表示した時に隔壁の白色も同時に見えるので、隔壁を備えない場合よりもコントラストが低下するという問題が生じる。
【０００６】
従って、本発明の目的は、上述の問題を解決して、表示用粒子の分布が偏る恐れがなく、隔壁に起因するコントラストの低下の恐れのない表示装置、及びその表示装置における表示の書換方法を提供することにある。
【課題を解決するための手段】
【０００７】
上述の課題を解決するため、本発明の請求項１に係る表示装置の実施態様は、表示面側の透明基板と、前記透明基板と対向する対向基板と、少なくとも前記対向基板の前記透明基板との対向面側に設置された隔壁によって囲まれた区画に表示用粒子が充填された表示装置であって、表示書換のため前記対向する基板間に電圧を印加して前記表示用粒子を前記基板と略垂直な方向に移動させるとき、前記隔壁の少なくとも一部が前記基板と略垂直な方向に収縮し、または収縮した状態になっており、前記表示用粒子の移動が終了すると同時に、または移動終了以降に、前記隔壁の収縮していた部分が復元することを特徴とする。
【０００８】
本実施態様では、透明基板と対向基板との間に設けられた隔壁によって囲まれた区画に表示用粒子が充填されているが、この場合、表示用粒子のみが充填された乾式の場合も、表示用粒子を含む表示液が充填された湿式の場合もあり得る。また、「隔壁の少なくとも一部」とは、１つの隔壁において、その全体が収縮する場合も、その一部の領域が収縮する場合も含まれ、また、表示装置が複数の隔壁を有する場合においては、全ての隔壁が収縮する場合も、収縮する隔壁と収縮しない隔壁とがある場合も含まれる。
【０００９】
隔壁の少なくとも一部を収縮させる方法としては、下記のような刺激応答性材料を用いることも考えられるし、圧力変化や温度変化等により収縮する部材を用いることも考えられる。また、「収縮していた部分が復元する」とは、何も外力が加わらない場合に、収縮していた部分が元の状態へ戻ることを意味し、例えば、隔壁の表示面側の端部と透明基板または透明基板に設けられた透明隔壁の端面との間に表示用粒子が挟み込まれた場合には、隔壁の表示面側の端部がこの表示用粒子に接する位置まで戻る場合も、「復元する」に含まれる。
【００１０】
本実施態様によれば、表示領域が隔壁で区分されているので、表示装置を表示面が縦向きになるように立てかけたとしても、表示用粒子の分布が偏る恐れがない。更に、本実施態様によれば、収縮していた隔壁が復元するとき、隔壁が収縮している間に表示面側に移動させた表示用粒子の一部を、隔壁の表示面側の端部と透明基板または透明基板に設けられた透明隔壁の端面との間に挟み込むことができる。表示面側から見て視認できる色、つまり表示色は、原則として、表示面側に移動した表示用粒子の色に一致するので、本実施態様では、隔壁の上面（表示面側の端部）に対応する部分の色を表示色と同一にすることができる。従って、隔壁に起因するコントラストの低下を防止することができる。
【００１１】
本発明の請求項２に係る表示装置の実施態様は、前記隔壁の少なくとも一部の収縮により、前記隔壁の表示面側の端部と前記透明基板に設けられた前記対向基板側の面との間に前記表示用粒子の平均粒子径以上の隙間が生じることを特徴とする。
【００１２】
ここで、「透明基板に設けられた対向基板側の面」とは、透明基板に隔壁が設けられていない場合には、透明基板の対向基板との対向面が該当し、透明基板の対向基板との対向面に薄い透明な隔壁が設置されている場合には、その透明な隔壁の端面が該当する。
【００１３】
本実施態様によれば、隔壁の収縮により、隔壁の表示面側の端部と透明基板に設けられた対向基板側の面との間に表示用粒子の平均粒子径以上の隙間が生じるので、隔壁の収縮時に表示面側に移動させた表示用粒子が、隔壁の表示面側の端部と透明基板に設けられた対向基板側の面との間の隙間に入り込むことができる。従って、隔壁の復元時に、表示面側に移動させた表示用粒子を、確実に隔壁の表示面側の端部と透明基板に設けられた対向基板側の面との間に挟み込むことができる。
【００１４】
本発明の請求項３に係る表示装置の実施態様は、前記隔壁の収縮していた部分が復元するとき、前記隔壁の表示面側の端部と前記透明基板に設けられた前記対向基板側の面との間に前記表示用粒子が挟み込まれることを特徴とする。
【００１５】
本実施態様では、表示面側に移動させた表示用粒子の一部を、隔壁の表示面側の端部と透明基板に設けられた対向基板側の面との間に挟みこむことにより、表示面側から見て、隔壁の上面に対応する部分の色が表示色と同一になるようにすることができるので、隔壁に起因するコントラストの低下を防止することができる。
【００１６】
なお、基板の内側に電圧を印加するための電極が設けられている場合には、実際には、隔壁の表示面側の端部と電極との間に表示用粒子が挟み込まれることになるが、電極は基板上に設けられた非常に薄い層であり、この態様も、「隔壁の表示面側の端部と透明基板に設けられた対向基板側の面との間に表示用粒子が挟み込まれる」ことに含まれる。
【００１７】
本発明の請求項４に係る表示装置の実施態様は、前記隔壁の少なくとも一部が刺激応答性材料からなることを特徴とする。
【００１８】
ここで、「刺激応答性材料」とは、電界、光、温度を始めとする様々な外部からの刺激に応答して、収縮、膨張を始めとする様々な変形や、変色等が起きる材料である。その中でも、本実施態様においては、外部の刺激を加えることによって収縮し、外部の刺激を除くことによって復元する刺激応答性材料を用いることが好ましい。
【００１９】
本実施態様によれば、隔壁の少なくとも一部に刺激応答性材料を用いることによって、確実に隔壁を収縮、復元させることができる。
【００２０】
本発明の請求項５に係る表示装置の実施態様は、前記刺激応答性材料が、電圧を印加することによって収縮し、電圧の印加を停止すると復元する性質を有することを特徴とする。
【００２１】
本実施態様によれば、電圧の印加及び電圧印加の停止により、容易に確実に隔壁を収縮、復元させることができる。
【００２２】
本発明の請求項６に係る表示装置の実施態様は、前記対向する基板間に印加する電圧を用いて、前記隔壁の少なくとも一部を収縮させることを特徴とする。
【００２３】
本実施態様によれば、基板間に印加する電圧を用いて、隔壁の少なくとも一部を収縮させることができるので、新たな電極や、隔壁収縮用の新たな電力供給が不要となる。よって、表示装置の製造コストを低減することができる。
【００２４】
本発明の請求項７に係る表示装置の実施態様は、前記隔壁の少なくとも一部と前記対向する基板間に電圧を印加するための表示用電極とが電気的に繋がっていることを特徴とする。
【００２５】
本実施態様によれば、隔壁の少なくとも一部と基板間に電圧を印加するための表示用電極とが電気的に繋がっているので、対向する基板間に印加する電圧を用いて、確実に隔壁の少なくとも一部を収縮させることができる。
【００２６】
本発明の請求項８に係る表示装置の実施態様は、前記隔壁に、前記隔壁の少なくとも一部に電圧を印加するための電極が設けられていることを特徴とする。
【００２７】
本実施態様によれば、隔壁に、隔壁の少なくとも一部に電圧を印加するための電極が設けられているので、基板間への電圧の印加のタイミングに係らず、任意のタイミングで、任意の大きさの電圧を隔壁の少なくとも一部に印加することができる。
【００２８】
本発明の請求項９に係る表示装置の実施態様は、表示書換時に少なくとも一部が収縮する前記隔壁と、表示書換時に収縮しない隔壁とを備えることを特徴とする。
【００２９】
本実施態様によれば、表示の書換時に少なくとも一部が収縮する隔壁と、表示の書換時に収縮しない隔壁とを備えることによって、収縮しない隔壁を、基板間の距離を保つスペーサとして機能させることができるので、例えば、可塑性を有する基板を用いた場合であっても、表示の書換時に、確実に基板間距離を保持することができる。
【００３０】
本発明の請求項１０に係る表示装置の実施態様は、前記隔壁の表示面側の端部が、表示面側に向かって細くなるテーパ形状を有することを特徴とする。
【００３１】
本実施態様によれば、隔壁の表示面側の端部が表示面側に向かって細くなるテーパ状の形状を有することによって、表示書換時において、隔壁の表示面側の端面と透明基板に設けられた対向基板側の面との間に挟み込まれていた表示用粒子、または表示面近傍に存在していた表示用粒子をスムーズに移動させることができるので、より短時間に効率よく表示の書換を行なうことができる。
【００３２】
本発明の請求項１１に係る表示パネルの実施態様は、表示面側の透明基板と、前記透明基板と対向する対向基板と、前記透明基板と前記対向基板との間隔を保持するスペーサと、前記対向基板の前記透明基板との対向面側に設置され、前記透明基板と前記対向基板との間の領域を区画する隔壁であって、前記表示面と略垂直方向に収縮し前記透明基板との間に隙間を形成可能な隔壁と、前記区画に配置され、所定の極性に帯電し、加えられた電界により前記表示面と略垂直な方向に移動することにより表示を書き換える表示用粒子とを備え、前記表示用粒子の移動時に前記隔壁が収縮、または収縮した状態になっており、前記表示用粒子の移動終了と同時、または移動終了以降に、収縮していた前記隔壁が復元することを特徴とする。
【００３３】
本実施態様によれば、表示領域を隔壁で区分して表示用粒子の偏在化を防止し、更に、収縮していた隔壁が復元するとき、表示面側に移動させた表示用粒子の一部を、隔壁の表示面側の端部と透明基板に設けられた対向基板側の面との間に挟み込むことにより、表示面側から見て、隔壁の上面（表示面側の端部）に対応する部分の色が表示色と同一になるようにできるので、隔壁に起因するコントラストの低下を防止することができる。
【００３４】
本発明の請求項１２に係る表示の書換方法の実施態様は、対向する基板と前記対向する基板の間に設けられた隔壁によって囲まれた区画に表示用粒子が充填された表示装置において、前記対向する基板間に電圧を印加して前記表示用粒子を前記基板と略垂直な方向に移動させると共に、前記隔壁の少なくとも一部を前記基板と略垂直な方向に収縮させる工程１と、前記工程１の後、前記表示用粒子の移動が終了すると同時に、または移動終了以降に、前記隔壁の収縮していた部分を復元させて、収縮していた前記隔壁の表示面側の端部と前記表示面側の基板に設けられた背面側の面との間に前記表示用粒子を挟み込む工程２と、を含むことを特徴とする。
【００３５】
ここで、「表示面側の基板に設けられた背面側の面」とは、表示面側の基板に隔壁が設けられていない場合には、表示面側の基板の背面側基板との対向面が該当し、表示面側の基板の背面側基板との対向面に透明な隔壁が設置されている場合には、その透明な隔壁の端面が該当する。
【００３６】
本実施態様によれば、基板間に電圧を印加して表示用粒子を移動させると同時に、隔壁の少なくとも一部を収縮させるので、短時間に効率よく表示の書換を行うことができる。
【００３７】
本発明の請求項１３に係る表示の書換方法の実施態様は、対向する基板と前記対向する基板の間に設けられた隔壁によって囲まれた区画に表示用粒子が充填された表示装置において、前記隔壁の少なくとも一部を前記基板と略垂直な方向に収縮させる工程１と、前記工程１の後、前記対向する基板間に電圧を印加して前記表示用粒子を前記基板と略垂直な方向に移動させる工程２と、前記工程２の後、前記表示用粒子の移動が終了すると同時に、または移動終了以降に、前記隔壁の収縮していた部分を復元させて、収縮していた前記隔壁の表示面側の端部と前記表示面側の基板に設けられた背面側の面との間に前記表示用粒子を挟み込む工程３と、を含むことを特徴とする。
【００３８】
本実施態様によれば、隔壁の少なくとも一部を収縮させる工程の後、基板間に電圧を印加して表示用粒子を移動させる工程を行なうので、隔壁の表示面側の端部と表示面側の基板に設けられた背面側の面との間に挟み込まれていた表示用粒子を、より確実に移動させることができる。従って、より確実な表示の書換を行うことができる。
【発明の効果】
【００３９】
以上のように、本発明に係る表示装置及びこの表示装置における表示の書換方法においては、表示領域を隔壁で区分して表示用粒子の偏在化を防止し、更に、収縮していた隔壁が復元するとき、表示面側に移動させた表示用粒子の一部を、隔壁の表示面側の端部と透明基板（表示面側の基板）に設けられた対向基板（背面側の基板）側の面との間に挟み込むことにより、表示面側から見て、隔壁の上面（表示面側の端部）に対応する部分の色が表示色と同一になるようにできるので、隔壁に起因するコントラストの低下を防止することができる。
【発明を実施するための最良の形態】
【００４０】
本発明に係る表示装置の実施形態、及びこの表示装置における表示の書換方法の実施形態について、以下に図面を用いながら詳細に説明する。
【００４１】
（本発明に係る表示装置の１つの実施形態の説明）
始めに、図１を用いて、本発明に係る表示装置の１つ実施形態の構造の概要について説明を行なう。本実施形態では、溶媒を用いずに、表示用粒子のみが充填された乾式の表示装置を例にとって説明する。ただし、これに限られるものではく、表示用粒子と溶媒が充填された湿式の表示装置を用いることも可能である。
【００４２】
ここで、図１は、本発明に係る表示装置２を表示面側から見た平面図であり、表示面側の基板４の一部を切り欠いて、内部が露出するように示されている。図１の切り欠き部分から明らかなように、この表示装置２では、外枠１４で囲まれた表示領域が、格子状に形成された隔壁８ａによって、複数の区画４０に区分されている。なお、本実施形態では、格子状の隔壁８ａが連続的に形成されているが、これに限られるものではなく、隔壁８ａの全域、もしくは一部が不連続例えば、隔壁８ａが表示用粒子を偏在させない程度の隙間を有して、隣合う区画４０が連通する構造も可能である。
【００４３】
また、図２は、図１の矢印Ａ−Ａの矢印方向から見た側面断面図であって、表示装置２の内部構造を模式的に示している。なお、図２において、上側の面が表示面であり、下側の面が背面になっている。
【００４４】
図２に示すように、表示装置２は、表示面側の電極である共通電極１０を備えた表示基板４と、背面側の電極である画素電極１２を備えた対向基板６と、対向基板６上に形成された収縮可能な隔壁８ａとから主に構成される。ここで、表示基板４は、透明な材料から構成され、「透明基板」と称する場合もある。本実施形態では、外枠１４で囲まれた表示領域には、各画素ごとに隔壁８ａで区分され、個別の画素電極１２が設けられた区画４０が形成されている。なお、本実施形態のように、各画素ごとに区画４０が形成されている場合に限られるものではなく、例えば、複数の画素ごとに隔壁を設けて、複数の画素を含む区画を形成することもできる。
【００４５】
共通電極１０と画素電極１２とは、外枠１４によって離れて対向配置され、共通電極１０と画素電極１２との間に形成された密閉空間に、不活性ガスが封入され、更に、正に帯電した黒色の表示用粒子２０と、負に帯電した白色の表示用粒子２２とが封入されている。なお、不活性ガスの代わりに空気や液体を充填することもできるし、密閉空間を真空にすることもできる。
【００４６】
以上のような電極の配置により、共通電極１０と画素電極１２との間に所定の電圧を印加することにより、正または負に帯電した表示用粒子２０、２２を、基板４、６に対して略垂直な方向に移動させて、表示の書換を行なうことができる。また、隔壁８ａにより細かい区画（画素ごとの区画）に区分されているので、仮に、表示装置２を表示面が縦向きになるように立てかけたとしても、表示用粒子２０、２２が偏在化することを防ぐことができる。
【００４７】
本実施形態の表示装置２の寸法としては、例えば、区画４０の幅、つまり隣り合う隔壁８ａの距離が２５０μｍ、表示基板４と対向基板６との間の基板間距離が４０μｍ、隔壁８ａの幅寸法が１０μｍ、封入される表示用粒子２０、２２の平均粒子径が５μｍであることを例示することができる。ただし、表示装置２の寸法は、これに限られるものではなく、その他の任意の寸法を採用することができる。
【００４８】
本実施形態の表示装置２の材料の概略を述べれば、表示基板４は、高い透明性と高い絶縁性を有する材料によって形成され、例えば、ポリエチレンナフタレート、ポリエーテルサルホン、ポリイミド、ポリエチレンテレフタレート等の樹脂材料や、ガラス材料等を用いることができる。また、共通電極１０は、高い透明性を有し、電極として利用できる材料によって形成され、例えば、ＩＴＯ（Ｉｎｄｉｕｍ  Ｔｉｎ  Ｏｘｉｄｅ）等の導電性金属酸化物や導電性高分子を用いることができる。
【００４９】
また、対向基板６は、高い絶縁性を有する材料によって形成され、例えば、ガラスや絶縁処理された金属フィルム等の無機材料や、ポリエチレンテレフタレート等の樹脂材料を用いることができる。なお、対向基板６は、表示基板４と異なり、透明でも不透明でもよい。
【００５０】
また、画素電極１２は、例えば、共通電極１０と同じ材料に加えて銅材料のような不透明の材料を用いることができる。
【００５１】
本実施形態において特筆すべきは、収縮可能な隔壁８ａが、刺激応答性材料から形成されていることである。更に詳細に述べれば、隔壁８ａが、電圧を印加することによって収縮する電圧応答性材料から形成されており、本実施形態では、電圧応答性材料としてアクリル酸−アクリルアミド共重合体が用いられている。なお、電圧応答性材料としては、その他、公知のアクリル化合物やジビニルベンゼン、Ｎ，Ｎ−メチレンビスアクリルアミド等の架橋性モノマーをグラフト重合したポリエーテル、ポリビニルアルコール、セルロース、デンプン、ポリアクリル酸系の材料等を用いることもできる。
【００５２】
この電圧応答性材料から形成された隔壁８ａは、その下面（背面側の端部）と画素電極１２とが電気的に繋がっている。
【００５３】
従って、上記のように、表示の書換のために、共通電極１０と画素電極１２との間に電圧を印加した場合には、隔壁８ａの上下面間にも電位差が生じるため、隔壁８ａが、基板４、６に対して略垂直な方向に収縮する。ここで、隔壁８ａの下面は対向基板６と接合されているので、電圧が印加されると、隔壁８ａの上面１８が下方へ移動するように収縮する。よって、隔壁８ａの上面１８と共通電極１０との間に所定の隙間が生じる。図２は、電圧が印加されて隔壁８ａが収縮し、隔壁８ａの上面１８が下方へ移動して、隔壁８ａの上面１８と共通電極１０との間に、表示用粒子２０、２２の平均粒子径以上の隙間が生じたところを示す。
【００５４】
なお、電圧の印加により隔壁８ａが収縮する態様としては、隔壁８ａの長さ寸法だけが縮む場合も含まれるし、長さ方向が縮んだ分、横方向に膨張して、全体としてほぼ同一の体積が維持される場合等も含まれる。
【００５５】
上述の電圧の印加を停止すると、隔壁８ａは復元し、もし、隔壁８ａの上面１８と共通電極１０との間の隙間に、表示用粒子２０、２２が存在する場合には、それらの表示用粒子２０、２２を、隔壁８ａの上面１８と共通電極１０との間に挟み込むことができる。ここで、図２では、模式的に共通電極１０がある程度の厚みを有するように描かれているが、実際には、共通電極１０は表示基板４上に設けられた非常に薄い層であり、「隔壁８ａの上面１８と共通電極１０との間に挟みこむ」ことは、「隔壁８ａの上面１８と表示基板４との間に挟みこむ」ことと言い換えることもできる。
【００５６】
また、本実施形態においては、共通電極１０が表示基板４の内側に設けられているが、共通電極１０を表示基板４の外側に設けることも可能であり、この場合においては、実際に、隔壁８ａの上面１８と表示基板４との間に、表示用粒子２０、２２を挟み込むことになる。
【００５７】
なお、この隔壁８ａの収縮、復元に関しては、下記の表示の書換の説明において更に詳細に説明する。
【００５８】
（本発明に係る表示の書換方法の１つの実施形態の説明）
次に、図１及び図２に示す表示装置２において実施される、本発明に係る表示の書換方法の１つの実施形態の説明を、図３Ａから図３Ｅを用いて行なう。図３Ａから図３Ｅには、黒色の表示用粒子２０が表示面側に存在し黒色を表示している状態から、白色の表示用粒子２２が表示面側に移動し白色を表示する状態へ書換を行なう工程を示している。
【００５９】
始めに、図３Ａは、正に帯電した黒色の表示用粒子２０が表示面側に位置し、負に帯電した白色の表示用粒子２２が背面側に位置して、黒色の表示を行なっている状態から、表示の書換を開始するところを示す。図３Ａに示す状態では、収縮可能な隔壁８ａの上面１８と共通電極１０との間に黒色の表示用粒子２０が挟み込まれているので、表示面側から見ると、隔壁８ａの上面１８に対応する部分の領域を含め、全表示領域が黒色で表示されている。
【００６０】
この状態から、共通電極１０が正極となり、画素電極１２が負極となるように電圧を印加する。これにより、正に帯電した黒色の表示用粒子２０は、負極である画素電極１２側に、つまり表示面側から背面側に向けて、基板４、６と略垂直な方向に移動を開始し、負に帯電した白色の表示用粒子２２は、正極の共通電極１０側、つまり背面側から表示面側に向けて、基板４、６と略垂直な方向に移動を開始する。
【００６１】
また、それと同時に、隔壁８ａの上下間にも電位差が生じ、図３Ａの矢印に示すように、隔壁８ａが基板４、６と略垂直な方向に収縮を開始して、隔壁８ａの上面１８が下方への移動を開始する。
【００６２】
このような共通電極１０と画素電極１２との間の電圧印加により、隔壁８ａは、隔壁８ａの上面１８と共通電極１０との間に、表示用粒子２０、２２の平均粒子径以上の隙間が開くまで収縮し、表示用粒子２０、２２は移動を継続する。表示用粒子２０、２２が移動していく過程を、図３Ｂから図３Ｄに示す。そして、図３Ｄに示すように、負に帯電した白色の表示用粒子２２が共通電極１０の近傍に達し、正に帯電した黒色の表示用粒子２２が画素電極１２の近傍に達する。このとき、隔壁８ａの上面１８と共通電極１０との間の隙間は、表示用粒子２０、２２の平均粒子径以上なので、背面側から移動してきた白色の表示用粒子２２がこの隙間に入り込むことができる。
【００６３】
その後、共通電極１０と画素電極１２との間の電圧印加を停止すると、表示面側に達した白色の表示用粒子２２及び背面側に達した黒色の表示用粒子２０は、静電気力等によってその位置が保持される。また、同時に、図３Ｅに示すように、隔壁８ａの上下間に生じていた電位差も消失し、収縮していた隔壁８ａが復元し、隔壁８ａの上面１８が元の位置に戻る際に、隔壁８ａの上面１８と共通電極１０との間に、白色の表示用粒子２２を挟み込むことができる。
【００６４】
従って、図３Ｅに示す状態では、隔壁８ａの上面１８と共通電極１０との間に白色の表示用粒子２２が挟み込まれているので、表示面側から見ると、隔壁８ａの上面１８に対応する部分の領域を含め、全表示領域を白色で表示することができる。
【００６５】
同様に、図３Ｅに示す状態から、共通電極１０が負極となり、画素電極１２が正極となるように電圧を印加して、所定時間経過後、電圧印加を停止することによって、白色を表示する状態から図３Ａに示す黒色を表示する状態に書き換えることができる。この場合には、収縮していた隔壁８ａが復元して、隔壁８ａの上面１８が元の位置に戻る際に、隔壁８ａの上面１８と共通電極１０との間に、黒色の表示用粒子２０を挟み込むことができる。
【００６６】
なお、表示の書換に当たっては、書換を速やかに行なうため、共通電極１０と画素電極１２との間に、極性が交互に反転するシェイキングパルスを印加することも可能である。この場合、極性が変わっても、電圧の印加がなされている限り、隔壁８ａは収縮状態を継続する。
【００６７】
以上のように、画像データに基づいて、各画素（本実施形態では、区画４０）ごとに粒子の移動を制御することによって、所望の画像を表示装置２に表示することができる。このとき、表示面側から見て、隔壁８ａの上面１８に対応する部分を表示色と同一の色で示すことができるので、従来の収縮しない隔壁を有する表示装置に比べて、コントラスト（白表示における輝度／黒表示における輝度）を大きく向上させることができる。
【００６８】
（本発明に係る表示装置のその他の実施形態の説明）
次に、本発明に係る表示装置のその他の実施形態の説明を行なう。
【００６９】
（電極の配置例の説明）
まず、図４Ａから図４Ｄを用いて、隔壁８ａに電圧を印加するための電極の配置例の説明を行なう。
【００７０】
＜電極配置例（１）の説明＞
図４Ａに示す電極配置例（１）では、基板と略垂直な方向に収縮可能な隔壁８ａの上面１８側に電極３０を備え、隔壁８ａの下面側に電極３２を備える。従って、この電極配置例（１）によれば、表示の書換のために行なう共通電極１０及び画素電極１２間の電圧印加のタイミングに係らず、任意のタイミングで任意の大きさの電圧を隔壁８ａに印加することができる。
【００７１】
＜電極配置例（２）の説明＞
図４Ｂに示す電極配置例（２）では、隔壁８ａの下面側に電極３２を備え、そして共通電極１０が隔壁８ａの上面側の電極３０の機能も同時に果たしている。従って、図４Ａに示す配置例（１）に比べ、隔壁８ａの上面１８側の電極３０を省略することができ、製造工程の簡素化が図れる。
【００７２】
また、共通電極１０側をアース側とすれば、下面側の電極３２に任意の極及び大きさの電荷を印加することにより、表示の書換のための共通電極１０及び画素電極１２の間の電圧印加とは個別に、任意のタイミングで任意の大きさの電圧を隔壁８ａに印加することができる。
【００７３】
＜電極配置例（３）の説明＞
図４Ｃに示す電極配置例では、隔壁８ａの上面１８側に電極３０を備え、隔壁８ａの下面と画素電極１２とが電気的に接続されている。つまり、画素電極１２が隔壁８ａの下面側の電極３２の機能を果たしている。従って、図４Ａに示す配置例に比べ、隔壁８ａの下面側の電極３２を省略することができ、製造工程の簡素化が図れる。
【００７４】
＜電極配置例（４）の説明＞
図４Ｄに示す電極配置例（４）は、図２及び図３Ａ〜図３Ｅに示す場合と同様であり、隔壁８ａの下面と画素電極１２とが電気側に接続されている。つまり、表示の書換のために設けられた共通電極１０及び画素電極１２が、隔壁８ａを収縮させるための電極の機能も果たしている。従って、図４Ａ〜図４Ｃに示す何れの配置例に比べても、製造工程の簡素化を図ることができる。
【００７５】
（駆動波形の実施例の説明）
次に、上述の電極配置例（１）及び（４）の場合を例にとって、各電極へ電圧を印加するための駆動波形の説明を、図５及び図６を用いて行なう。ここで、図５の表は、図４Ａの電極配置例（１）に示す表示装置を用いた場合の駆動波形の実施例（１）を示し、図６の表は、図４Ｄの電極配置例（４）に示す表示装置を用いた場合の駆動波形の実施例（２）を示す。
【００７６】
まず、図５及び図６に示す表に共通する事項の説明を行なうと、左の項目欄を除き、表の中央から左側の欄には、隔壁８ａを先に収縮させてから表示用粒子２０、２２を移動させる場合の波形を示し、表の中央から右側の欄には、隔壁８ａの収縮と表示用粒子２０、２２の移動とを同時に行う場合の波形を示す。
【００７７】
また、図５の表においては、全て隔壁が収縮可能な最低電圧値（閾値）Ｖｒよりも、表示用粒子が移動可能な最低電圧値（閾値）Ｖｐの方が大きい場合（Ｖｒ＜Ｖｐの場合）の波形を示しており、図６の表においては、表の中央から左側及び右側の欄のそれぞれにおいて、左側に、隔壁が収縮可能な最低電圧値（閾値）Ｖｒよりも、表示用粒子が移動可能な最低電圧値（閾値）Ｖｐの方が大きい場合（Ｖｒ＜Ｖｐの場合）の波形を示し、右側に、隔壁が収縮可能な最低電圧値Ｖｒが、表示用粒子が移動可能な最低電圧値Ｖｐよりも大きい場合（Ｖｒ＞Ｖｐの場合）の波形を示している。
【００７８】
また、図５及び図６に示す表において、Ｖｒは、隔壁８ａが収縮することが可能な最低電圧値を示し、Ｖｐは、表示用粒子２０、２２が移動することが可能な最低電圧値を示し、ｔ１は、隔壁８ａが収縮を開始する時期を示し、ｔ２は、表示用粒子２０、２２が移動を開始する時期を示し、ｔ３は、表示用粒子２０、２２が移動を終了する時期を示し、ｔ４は、収縮していた隔壁８ａが復元する時期を示している。また、ｔ６、ｔ１０は、隔壁８ａが収縮を開始し、同時に表示用粒子２０、２２が移動を開始する時期を示し、ｔ８は、表示用粒子２０、２２が移動を終了し、同時に収縮していた隔壁８ａが復元する時期を示す。また、ｔ７、ｔ１１は、表示用粒子の移動終了後に隔壁を復元させる場合における、表示用粒子２０、２２が移動を終了する時期を示す。
【００７９】
また、図５に示す表の左の項目欄において、上から順に、隔壁８ａの表示面側の電極３０の波形、隔壁８ａの背面側の電極３２の波形、表示面側の共通電極１０の波形、及び背面側の画素電極１２の波形を、また、図６に示す左の項目欄において、上から順に、表示面側の共通電極１０の波形、及び背面側の画素電極１２の波形を示す。また、図５及び図６に示す実施例においては、隔壁８ａの専用の電極３０、３２のうち、表示面側の電極３０がアース側となっており、電圧印加時においても電位がゼロになっている。また、表示の書換用の電極１０、１２のうち、表示面側の共通電極１０がアース側になっており、電圧印加時においても電位がゼロになっている。
【００８０】
以上のような図５及び図６について、以下に個々の場合の駆動波形の説明を行なう。
【００８１】
＜駆動波形の実施例（１）の説明＞
始めに、図４Ａの電極配置例（１）に示す表示装置を用いた場合の駆動波形の実施例（１）の説明を、図５を用いて行なう。上述のように、電極配置例（１）の場合には、表示の書換のための電圧印加とは個別に、任意のタイミング、任意の大きさの電圧を隔壁８ａに印加することができる。
【００８２】
＜＜隔壁の収縮後、表示用粒子を移動させる場合の説明＞＞
まず、図５の表の左側の欄に示す「隔壁の収縮後、表示用粒子を移動させる場合」の説明を行なう。本実施例では、隔壁収縮最低電圧Ｖｒ＜粒子移動最低電圧Ｖｐの場合について説明を行なう。まず、タイミングｔ１において、隔壁８ａに隔壁収縮最低電圧Ｖｒよりも大きな電圧を印加する。これにより、隔壁８ａが収縮を開始する。この場合、印加する電圧は、粒子移動最低電圧Ｖｐより小さくてよい。
【００８３】
次に、この隔壁８ａへの電圧印加を継続したまま、タイミングｔ２で、共通電極１０と画素電極１２の間に粒子移動最低電圧Ｖｐよりも大きな電圧を印加する。これによって、表示用粒子２０、２２が移動を開始して、表示の書換が開始される。
【００８４】
表示の書換のための表示粒子２０、２２の移動が十分行なわれたタイミングｔ３において、共通電極１０と画素電極１２の間における電圧印加を停止する。これにより、タイミングｔ３における表示用粒子２０、２２の位置が、静電気力等によって保持される。
【００８５】
次に、タイミングｔ４において、隔壁８ａに印加していた電圧を停止する。これによって、収縮していた隔壁８ａが復元し、表示面側に移動した表示用粒子２０または２２を、隔壁８ａの上面１８と共通電極１０との間に挟みこむことができる。以上によって、表示の書換の１工程が終了する。
【００８６】
＜＜隔壁の収縮と表示用粒子の移動とを同時に行なう場合の説明＞＞
次に、図５の右側の欄に示す「隔壁の収縮と表示用粒子の移動とを同時に行なう場合」の説明を行なう。本実施例においても、隔壁収縮最低電圧Ｖｒ＜粒子移動最低電圧Ｖｐの場合について説明を行なう。まず、タイミングｔ６において、隔壁８ａに隔壁収縮最低電圧Ｖｒよりも大きな電圧を印加すると同時に、共通電極１０と画素電極１２の間に粒子移動最低電圧Ｖｐよりも大きな電圧を印加する。これにより、隔壁８ａが収縮を開始すると同時に、表示用粒子２０、２２が移動を開始して、表示の書換が開始される。この場合、隔壁８ａに印加する電圧は、粒子移動最低電圧Ｖｐより小さくてよい。
【００８７】
この電圧印加を少なくともタイミングｔ７が到来するまで継続する。この間に、表示の書換に必要な表示用粒子２０、２２の移動が十分に行なわれる。そして、タイミングｔ８において、隔壁８ａに印加していた電圧を停止すると同時に、共通電極１０と画素電極１２の間における電圧印加を停止する。
【００８８】
これにより、タイミングｔ８における表示用粒子２０、２２の位置が静電気力等によって保持され、収縮していた隔壁８ａが復元して、表示面側に移動した表示用粒子２０、２２を、隔壁８ａの上面１８と共通電極１０との間に挟み込むことができる。以上によって、表示の書換の１工程が終了する。
【００８９】
なお、この実施例では、タイミングｔ８において、隔壁８ａに印加していた電圧を停止すると同時に、共通電極１０と画素電極１２の間における電圧印加を停止しているが、これに限られるものではなく、タイミングｔ７で、共通電極１０と画素電極１２の間における電圧印加を停止し、その後、タイミングｔ８で、隔壁８ａに印加していた電圧を停止することも可能である。
【００９０】
＜駆動波形の実施例（２）の説明＞
次に、図４Ｄの電極配置例（４）に示す表示装置を用いた場合の駆動波形の実施例（２）の説明を、図６を用いて行なう。上述のように、電極配置例（４）の場合には、表示の書換用の電極１０、１２によって、隔壁８ａを収縮させるための電圧印加を行なう。
【００９１】
＜＜隔壁の収縮後、表示用粒子を移動させる場合の説明＞＞
まず、図６の表の左側の欄に示す「隔壁の収縮後、表示用粒子を移動させる場合」の説明を行なう。
【００９２】
（１）Ｖｒ＜Ｖｐの場合の説明
始めに、隔壁収縮最低電圧Ｖｒ＜粒子移動最低電圧Ｖｐの場合について説明を行なう。まず、タイミングｔ１において、共通電極１０と画素電極１２の間に隔壁収縮最低電圧Ｖｒよりも大きくかつ粒子移動最低電圧Ｖｐより小さな値の電圧を印加する。これにより、隔壁８ａにＶｒよりも大きな電圧が印加されるので、隔壁８ａは収縮を開始するが、表示用粒子２０、２２の移動は開始されないことになる。
【００９３】
次に、タイミングｔ２で、共通電極１０と画素電極１２の間に印加させる電圧値を、粒子移動最低電圧Ｖｐよりも大きな電圧まで上昇させる。これによって、表示用粒子２０、２２が移動を開始して、表示の書換が開始される。このとき、隔壁８ａの収縮はそのまま維持される。
【００９４】
表示の書換のための表示粒子２０、２２の移動が十分行なわれたタイミングｔ３において、共通電極１０と画素電極１２の間に印加する電圧値を、粒子移動最低電圧Ｖｐより小さくかつ隔壁収縮最低電圧Ｖｒよりも大きな電圧まで減少させる。これにより、このタイミングｔ３における表示用粒子２０、２２の位置が静電気力等によって保持される。しかし、隔壁８ａの収縮は継続される。
【００９５】
次に、タイミングｔ４において、共通電極１０と画素電極１２の間の電圧印加を停止する。これによって、収縮していた隔壁８ａは復元し、表示面側に移動した表示用粒子２０、２２を、隔壁８ａの上面１８と共通電極１０との間に挟み込むことができる。以上によって、表示の書換の１工程が終了する。
【００９６】
（２）Ｖｒ＞Ｖｐの場合の説明
電極配置例（４）に示す表示装置を用いた場合では、隔壁収縮最低電圧Ｖｒ＞粒子移動最低電圧Ｖｐの条件においては、先に隔壁を収縮させて、その後表示用粒子を移動させることはできないので、図６の表には斜線が引かれている。
【００９７】
＜＜隔壁の収縮と、表示用粒子の移動とを同時に行なう場合の説明＞＞
次に、図６の右側の欄に示す「隔壁の収縮と、表示用粒子の移動とを同時に行なう場合」の説明を行なう。
【００９８】
（１）Ｖｒ＜Ｖｐの場合の説明
始めに、隔壁収縮最低電圧Ｖｒ＜粒子移動最低電圧Ｖｐの場合について説明を行なう。まず、タイミングｔ６において、共通電極１０と画素電極１２の間に粒子移動最低電圧Ｖｐより大きな電圧（従って、この電圧は隔壁収縮最低電圧Ｖｒより大きな値になる）を印加する。これにより、隔壁８ａが収縮を開始し、同時に、表示用粒子２０、２２が移動を開始して、表示の書換が開始される。
【００９９】
そして、この電圧印加を少なくともタイミングｔ７が到来するまで継続する。この間に、表示の書換に必要な表示用粒子の移動が十分に行なわれる。そして、タイミングｔ８において、共通電極１０と画素電極１２との間の電圧印加を停止する。
【０１００】
これにより、タイミングｔ８における表示用粒子２０、２２の位置が静電気力等によって保持され、収縮していた隔壁８ａは復元して、表示面側に移動した表示用粒子２０、２２を、隔壁８ａの上面１８と共通電極１０との間に挟み込むことができる。以上によって、表示の書換の１工程が終了する。
【０１０１】
なお、本実施例では、タイミングｔ６以降、タイミングｔ８が到来するまで、共通電極１０と画素電極１２の間に、同じ大きさの電圧を印加しているが、これに限られるものではない。例えば、Ｖｒ＜Ｖｐの場合において、タイミングｔ７で、共通電極１０と画素電極１２の間に印加する電圧を、粒子移動最低電圧Ｖｐより小さくかつ隔壁収縮最低電圧Ｖｒよりも大きな値まで減少させて、隔壁８ａの収縮を維持した状態で、表示用粒子の移動を停止させ、その後、タイミングｔ８で電圧印加を停止することも可能である。
【０１０２】
（２）Ｖｒ＞Ｖｐの場合の説明
隔壁収縮最低電圧Ｖｒ＞粒子移動最低電圧Ｖｐの場合についても、基本的に、上記のＶｒ＜Ｖｐの場合と同一の波形を適用できる。よって、更に詳細な説明は省略する
【０１０３】
（隔壁の構造のその他の実施形態の説明）
次に、図７Ａから図７Ｄを用いて、本発明に係る表示装置の隔壁の構造のその他の実施形態の説明を行なう。これらの実施形態では、隔壁が、収縮可能な領域と収縮しない領域とから構成されている。
【０１０４】
＜隔壁の構造のその他の実施形態（１）の説明＞
図７Ａに示す隔壁の構造のその他の実施形態（１）においては、隔壁８が、隔壁８の高さ方向で２つの領域に分割された構造を有し、隔壁８の下面側から順に、電圧応答性材料からなる収縮可能な領域８ａ、及び通常の樹脂材料からなる収縮しない領域８ｂから構成されている。ここで、隔壁（上側）用電極３０及び画素電極１２を用いて、この収縮可能な領域８ａの上下面間に電圧を印加することにより、収縮可能な領域８ａが収縮して、隔壁８の上面１８と共通電極１０との間に、表示用粒子２０、２２の平均粒子径以上の隙間を形成することが可能である。
【０１０５】
また、収縮可能な領域８ａへの電圧印加を停止して収縮可能な領域８ａを復元させることにより、表示用粒子２０、２２を、隔壁８の上面１８と共通電極１０との間に挟み込むことが可能である。
【０１０６】
＜隔壁の構造のその他の実施形態（２）の説明＞
図７Ｂに示す隔壁の構造のその他の実施形態（２）においては、隔壁８が、隔壁の高さ方向で３つの領域に分割された構造を有し、隔壁８の下面側から順に、通常の樹脂材料からなる収縮しない領域８ｂ、電圧応答性材料からなる収縮可能な領域８ａ、及び通常の樹脂材料からなる収縮しない領域８ｂから構成されている。
【０１０７】
つまり、上述の実施形態（１）では、収縮可能な領域８ａが隔壁８の下部に配置されていたが、本実施形態では、収縮可能な領域８ａが隔壁８の中央部に配置されている。ここで、隔壁（上側）用電極３０及び隔壁（下側）用電極３２を用いて、この収縮可能な領域８ａの上下面間に電圧を印加することにより、収縮可能な領域８ａが収縮して、隔壁８の上面１８と共通電極１０との間に、表示用粒子２０、２２の平均粒子径以上の隙間を形成することが可能である。
【０１０８】
また、収縮可能な領域８ａへの電圧印加を停止して収縮可能な領域８ａを復元させることにより、表示用粒子２０、２２を、隔壁８の上面１８と共通電極１０との間に挟み込むことが可能である。
【０１０９】
＜隔壁の構造のその他の実施形態（３）の説明＞
図７Ｃに示す隔壁の構造のその他の実施形態（３）においては、隔壁８が、隔壁の高さ方向で２つの領域に分割された構造を有し、隔壁８の下面側から順に、通常の樹脂材料からなる収縮しない領域８ｂ、及び電圧応答性材料からなる収縮可能な領域８ａから構成されている。つまり、上述の実施形態（１）では、収縮可能な領域８ａが隔壁８の下部に配置されていたが、本実施形態では、収縮可能な領域８ａが隔壁８の上部に配置されている。ここで、共通電極１０及び隔壁（下側）用電極３２を用いて、この収縮可能な領域８ａの上下面間に電圧を印加することにより、収縮可能な領域８ａが収縮して、隔壁８の上面１８と共通電極１０との間に、表示用粒子２０、２２の平均粒子径以上の隙間を形成することが可能である。
【０１１０】
また、収縮可能な領域８ａへの電圧印加を停止して収縮可能な領域８ａを復元させることにより、表示用粒子２０、２２を、隔壁８の上面１８と共通電極１０との間に挟み込むことが可能である。
【０１１１】
＜隔壁の構造のその他の実施形態（４）の説明＞
図７Ｄに示す隔壁の構造のその他の実施形態（４）においては、隔壁８が、隔壁の幅方向で２つの領域に分割された構造を有し、電圧応答性材料からなる収縮可能な領域８ａ、及び通常の樹脂材料からなる自己収縮しない領域８ｂが隣り合った位置で互いに接合された構造を有している。ここで、自己収縮しない領域８ｂとは、電圧応答性材料のように材料自身で収縮することがない領域であって、外力が付加されることによる収縮、及びこの外力の除去による復元が生じ得る領域を意味する。
【０１１２】
ここで、共通電極１０及び画素電極１２を用いて、このような構造の隔壁８の上下面に電圧を印加することによって、収縮可能な領域８ａが収縮すると、接合された領域８ｂも共に収縮して、隔壁８の上面１８と共通電極１０との間に、表示用粒子２０、２２の平均粒子径以上の隙間を形成することが可能である。また、隔壁８への電圧印加を停止して、収縮可能な領域８ａが復元するとき、接合された領域８ｂも復元して、表示用粒子２０、２２を、隔壁８の上面１８と共通電極１０との間に挟み込むことが可能である。
なお、隔壁８ａを基板４、６に対して、略垂直な方向に収縮・復元させるためには、自己収縮しない領域８ｂも、収縮可能な領域８ａの収縮・復元に応じて、収縮・復元する必要があるので、これに対応するだけの弾性を有する材料を用いる必要がある。
【０１１３】
＜隔壁の構造のその他の実施形態（５）の説明＞
図７Ｅに示す隔壁の構造のその他の実施形態（５）においては、隔壁８が、電圧応答性材料からなる収縮可能な領域８ａ、及び通常の樹脂材料からなる自己収縮しない領域８ｂから構成されている。特に、通常の樹脂材料からなる自己収縮しない領域８ｂがＴ字形の断面形状を有し、領域８ｂのＴ字形の上部（水平に伸びた部分）によって、電圧応答性材料からなる収縮可能な領域８ａの上部を覆うような形で、両者は接合されている。また、領域８ｂのＴ字形の下部（垂直に伸びた部分）の両側には、領域８ａが隣接して配置され、両者は互いに接合されている。
【０１１４】
このような構造により、共通電極１０及び画素電極１２を用いて、隔壁８の上下面に電圧を印加することによって収縮可能な領域８ａが収縮すると、接合された領域８ｂは、横方向で接合された領域８ａの収縮によって、同様に収縮する。これにより、隔壁８の上面１８と共通電極１０との間に、表示用粒子２０、２２の平均粒子径以上の隙間を形成することが可能である。また、隔壁８への電圧印加を停止して、収縮可能な領域８ａが復元するとき、接合された領域８ｂも復元して、表示用粒子２０、２２を、隔壁８の上面１８と共通電極１０との間に挟み込むことが可能である。
【０１１５】
なお、上述のその他の実施形態（４）においては、仮に、自己収縮しない領域８ｂが、弾性に乏しい材料からなる場合には、収縮可能な領域８ａが収縮したときに、隔壁８が横方向に撓む可能性があるが、本実施形態では、確実に、隔壁８を基板４、６に対して略垂直な方向に収縮させることができる。
【０１１６】
以上のように、隔壁の構造のその他の実施形態（１）〜（５）においては、電圧応答性材料を隔壁８の一部分にだけ用いることにより、隔壁８の材料コストを低減することができる。なお、収縮可能な領域８ａが隔壁８の一部分なので、表示用粒子２０、２２の平均粒子径以上の隙間が生じるようにするためには、隔壁全体が電圧応答性材料で構成されている場合に比べて、より収縮率の大きな電圧応答性材料を選択することや、印加する電圧を強める等の考慮が必要な場合もある。
【０１１７】
（隔壁の構成に関するその他の実施形態の説明）
次に、図８を用いて、本発明に係る表示装置の隔壁の構成に関するその他の実施形態の説明を行なう。表示装置２が複数の隔壁８を有する場合に、上述の実施形態では、全ての隔壁８が電圧の印加によって収縮可能であったが、本実施形態においては、表示装置が、電圧応答性材料から形成された収縮可能な隔壁８ａと、通常の樹脂材料から形成された収縮しない隔壁８ｂとから構成されている。
【０１１８】
図８（ａ）は、収縮可能な隔壁８ａが収縮する前の状態を示し、図８（ｂ）は、収縮可能な隔壁８ａが収縮した後の状態を示している。この表示装置２においては、左側の隔壁が、電圧の印加で収縮可能な隔壁８ａであり、右側の隔壁が、収縮しない隔壁８ｂである。
【０１１９】
図８（ａ）では、収縮可能な隔壁８ａの上面１８と共通電極１０との間に、黒色の表示用粒子２０を挟み込んでおり、図８（ａ）の矢印に示すように、収縮可能な隔壁８ａに電圧を印加することにより、収縮可能な隔壁８ａが収縮を開始し、図８（ｂ）に示すように、収縮可能な隔壁８ａの上面１８と共通電極１０との間に、表示用粒子２０、２２の平均粒子径以上の隙間を形成することができる。
【０１２０】
また、収縮可能な隔壁８ａへの電圧印加を停止して、収縮可能な隔壁８ａを復元させることにより、表示用粒子２０、２２を、収縮可能な隔壁８ａの上面１８と共通電極１０との間に挟み込むことができる。
【０１２１】
本実施形態においては、収縮しない隔壁８ｂをスペーサとして活用することができ、収縮可能な隔壁８ａが収縮したときに、収縮しない隔壁８ｂによって、基板間の距離を確実に保つことができる。従って、外枠１４のみをスペーサとして用いるとき、基板間距離の確保か困難な可塑性を有する基板等を用いても、本実施形態によれば、確実に基板間距離を確保できる。また、通常の樹脂材料の隔壁を用いる領域が増えるので、隔壁８の材料コストの低減にも寄与する。
【０１２２】
なお、収縮しない隔壁８ｂについては、その上部に表示用粒子２０、２２を挟み込むことはないので、その部分のコントラストとしては、通常の表示装置と同様である。しかし、収縮可能な隔壁８ａと、収縮しない隔壁８ｂとの組み合わせにおいて、その最適な比率及び最適な配置を採用することによって、コントラストに優れ、強度的にもコスト的に優れたバランスのよい表示装置２を提供することができる。
【０１２３】
（隔壁の形状に関するその他の実施形態の説明）
次に、図９を用いて、本発明に係る表示装置の隔壁の形状に関するその他の実施形態の説明を行なう。上述の実施形態では、収縮可能な隔壁８ａが矩形の側面形状を有しているが、本実施形態においては、収縮可能な隔壁８ａの上部１８がテーパ状の形状を有している。
【０１２４】
図９（ａ）は、収縮可能な隔壁８ａが収縮する前の状態を示し、図８（ｂ）は、収縮可能な隔壁８ａが収縮した後の状態を示している
【０１２５】
図９（ａ）では、収縮可能な隔壁８ａの上部１８と共通電極１０との間に、黒色の表示用粒子２０を挟み込んでおり、図９（ａ）の矢印に示すように、収縮可能な隔壁８ａに電圧を印加することにより、収縮可能な隔壁８ａが収縮を開始し、図９（ｂ）に示すように、収縮可能な隔壁８ａの上部１８と共通電極１０との間に、表示用粒子２０、２２の平均粒子径以上の隙間を形成することができる。このとき、収縮可能な隔壁８ａの上部１８がテーパ状の形状を有しているので、表示の書換時に、収縮可能な隔壁８ａの上部１８と共通電極１０との間に挟み込まれていた表示用粒子２０や、表示面近傍にいた表示用粒子２０が、スムーズに移動することができる。従って、本実施形態では、より短時間に効率よく表示の書換を行なうことができる。
【０１２６】
（その他の実施形態の説明）
上述の実施形態では、表示の書換のための電極（共通電極や画素電極）が、基板の内側に配置されているが、これに限られるものではなく、表示の書換のための電極が、基板の外側に配置されている場合も考えられる。この場合、上記の実施形態の「隔壁の上面と電極との間」という表現は、「隔壁の上面と基板との間」と読み替えることができる。
【０１２７】
上述の説明においては、対向基板６にだけ隔壁８が設けられている表示装置２の実施形態が示されているが、これに限られるものではなく、例えば、対向基板に設けられた隔壁に加えて、表示基板に厚みの薄い透明な隔壁が設けられた表示装置の実施形態も考えられ、この場合には、対向基板側の隔壁の端面と、表示基板側の透明隔壁の端面との間に、表示用粒子を挟み込むことができる。
【０１２８】
上述の実施形態では、刺激応答性材料として、電圧の印加により収縮する電圧応答性材料を用いているが、これに限られるものではなく、例えば、光を照射することにより収縮する材料や、温度変化により収縮する材料を始めとするその他の任意の刺激応答性材料を用いることができる。
【０１２９】
また、本発明に係る表示装置、及びこの表示措置における表示の書換方法の実施形態は、上記の実施形態に限られるものではなく、その他の様々な実施形態が本発明に含まれる。
【図面の簡単な説明】
【０１３０】
【図１】本発明に係る表示装置を表示面側から見た平面図である。
【図２】図１の矢印Ａ−Ａの方向から見た断面図であって、表示装置の内部構造を模式的に示した図である。
【図３Ａ】本発明に係る表示の書換方法の１つの実施形態を模式的に示す断面図であって、収縮可能な隔壁が収縮する直前の状態を示す図である。
【図３Ｂ】本発明に係る表示の書換方法の１つの実施形態を模式的に示す断面図であって、収縮可能な隔壁が収縮し、表示用粒子が移動中の状態を示す図である。
【図３Ｃ】本発明に係る表示の書換方法の１つの実施形態を模式的に示す断面図であって、収縮可能な隔壁が収縮し、表示用粒子が移動中の状態を示す図である。
【図３Ｄ】本発明に係る表示の書換方法の１つの実施形態を模式的に示す断面図であって、収縮可能な隔壁が収縮し、表示用粒子が移動中の状態を示す図である。
【図３Ｅ】本発明に係る表示の書換方法の１つの実施形態を模式的に示す断面図であって、表示用粒子の移動が終了し、収縮可能な隔壁が復元した状態を示す図である。
【図４Ａ】本発明に係る表示装置の電極配置例（１）を模式的に示す断面図である。
【図４Ｂ】本発明に係る表示装置の電極配置例（２）を模式的に示す断面図である。
【図４Ｃ】本発明に係る表示装置の電極配置例（３）を模式的に示す断面図である。
【図４Ｄ】本発明に係る表示装置の電極配置例（４）を模式的に示す断面図である。
【図５】電極配置例（１）に示す表示装置を用いた場合の駆動波形の実施例（１）を示す表である。
【図６】電極配置例（４）に示す表示装置を用いた場合の駆動波形の実施例（２）を示す表である。
【図７Ａ】本発明に係る表示装置の隔壁の構造のその他の実施形態（１）を模式的に示す断面図である。
【図７Ｂ】本発明に係る表示装置の隔壁の構造のその他の実施形態（２）を模式的に示す断面図である。
【図７Ｃ】本発明に係る表示装置の隔壁の構造のその他の実施形態（３）を模式的に示す断面図である。
【図７Ｄ】本発明に係る表示装置の隔壁の構造のその他の実施形態（４）を模式的に示す断面図である。
【図７Ｅ】本発明に係る表示装置の隔壁の構造のその他の実施形態（５）を模式的に示す断面図である。
【図８】本発明に係る表示装置の隔壁の構成に関するその他の実施形態を模式的に示す断面図である。
【図９】本発明に係る表示装置の隔壁の形状に関するその他の実施形態を模式的に示す断面図である。
【符号の説明】
【０１３１】
２      表示装置
４      表示基板（透明基板）
６      対向基板
８      隔壁
８ａ    収縮可能な隔壁、収縮可能な領域
８ｂ    収縮しない隔壁、（自己）収縮しない領域
１０    共通電極
１２    画素電極
１４    外枠
１８    隔壁の上面
２０    黒色の表示用粒子
２２    白色の表示用粒子
３０    隔壁上面側の電極
３２    隔壁下面側の電極
４０    区画
【図１】
2009223094.tif 000003
【図２】
2009223094.tif 000004
【図３Ａ】
2009223094.tif 000005
【図３Ｂ】
2009223094.tif 000006
【図３Ｃ】
2009223094.tif 000007
【図３Ｄ】
2009223094.tif 000008
【図３Ｅ】
2009223094.tif 000009
【図４Ａ】
2009223094.tif 000010
【図４Ｂ】
2009223094.tif 000011
【図４Ｃ】
2009223094.tif 000012
【図４Ｄ】
2009223094.tif 000013
【図５】
2009223094.tif 000014
【図６】
2009223094.tif 000015
【図７Ａ】
2009223094.tif 000016
【図７Ｂ】
2009223094.tif 000017
【図７Ｃ】
2009223094.tif 000018
【図７Ｄ】
2009223094.tif 000019
【図７Ｅ】
2009223094.tif 000020
【図８】
2009223094.tif 000021
【図９】
2009223094.tif 000022